(57)【要約】【課題】スライドユニットを簡便に移動させて衣服の掛け外しができ、衣服の首開口部が緩くなったり変形したりすることを防ぐことができ、衣服の掛け外しのときにスライドユニットを片手で移動させることができる、伸縮式衣服用ハンガーを提供すること。【解決手段】伸縮式衣服用ハンガー２００は、掛杆２１０およびリンク機構２２０を備える。掛杆２１０は、吊下げユニット２１２と、吊下げユニット２１２に上端部が接続された案内棒２１４と、を有する。リンク機構２２０は、案内棒２１４上に上下方向へ摺動可能に固定されたスライドユニット２７０と、案内棒２１４の左側に配置された第１の連結アーム２７２と、案内棒２１４の右側に配置された第２の連結アーム２７４と、を備える。【選択図】図１
0003145493.tif 000002
【実用新案登録請求の範囲】
【請求項１】
掛杆およびリンク機構を備えた伸縮式衣服用ハンガーであって、
前記掛杆は、吊下げユニットと、前記吊下げユニットに上端部が接続された案内棒と、を有し、
前記リンク機構は、
前記案内棒上に、上下方向へ摺動可能に固定されたスライドユニットと、
前記案内棒の左側に配置されたものであって、前記スライドユニットに接続された第１の端部と、前記案内棒の下端に接続された第２の端部と、を有する第１の連結アームと、
前記案内棒の右側に配置されたものであって、前記スライドユニットに接続された第１の端部と、前記案内棒の下端に接続された第２の端部と、を有する第２の連結アームと、を備え、
前記リンク機構は、前記スライドユニットが前記案内棒に対応した第１の位置にあるときに収納状態となり、前記スライドユニットが前記案内棒に対応した第２の位置にあるときに衣服を吊下げることが可能な展開状態となること、
を特徴とする伸縮式衣服用ハンガー。
【請求項２】
前記案内棒の所定位置に、前記スライドユニットを固定させることが可能な固定ユニットをさらに備えること、
を特徴とする請求項１に記載の伸縮式衣服用ハンガー。
【請求項３】
前記所定位置は第１の位置であること、
を特徴とする請求項２に記載の伸縮式衣服用ハンガー。
【請求項４】
前記所定位置は第２の位置であること、
を特徴とする請求項２に記載の伸縮式衣服用ハンガー。
【請求項５】
前記展開状態のときに、前記リンク機構の幅を増大させることが可能な前記リンク機構上に配置されたロッドをさらに備えること、
を特徴とする請求項１から４のいずれか一項に記載の伸縮式衣服用ハンガー。
【請求項６】
前記第１の連結アームおよび前記第２の連結アームのそれぞれは、
前記スライドユニットに接続された第１の端部と、第２の端部と、を有するサブアッパアームと、
前記サブアッパアームの前記第２の端部に接続された第１の端部と、前記案内棒の下端に固定された第２の端部と、を有するサブロアアームと、を備えること、
を特徴とする請求項１から５のいずれか一項に記載の伸縮式衣服用ハンガー。
【請求項７】
前記リンク機構は一体成形され、
前記スライドユニットと前記サブアッパアームとの間、又は前記サブアッパアームと前記サブロアアームとの間の折曲部が薄いこと、
を特徴とする請求項６に記載の伸縮式衣服用ハンガー。
【請求項８】
前記スライドユニットを移動させることが可能なバネをさらに備えること、
を特徴とする請求項１から７のいずれか一項に記載の伸縮式衣服用ハンガー。
【請求項９】
前記第１の連結アームおよび前記第２の連結アームは弾性材から形成されていること、
を特徴とする請求項１から８のいずれか一項に記載の伸縮式衣服用ハンガー。
【請求項１０】
前記吊下げユニットは鉤状であること、
を特徴とする請求項１から９のいずれか一項に記載の伸縮式衣服用ハンガー。
【考案の詳細な説明】
【技術分野】
【０００１】
本考案は、衣服用ハンガーに関し、特に伸縮式衣服用ハンガーに関する。
【背景技術】
【０００２】
図１０は、従来の衣服用ハンガー１００に衣服１１０を吊り下げたときの状態を示す斜視図である。衣服用ハンガー１００は、フック１０２およびフレーム１０４を含む。フック１０２は、衣服用ハンガー１００を物干しロープまたは物干し竿に吊り下げるために用いる。フレーム１０４は、フック１０２に接続され、衣服１１０の左右両側を支えて衣服用ハンガー１００に掛けるために用いられる。
【０００３】
しかし、従来の衣服用ハンガー１００のフレーム１０４の左右両側は、衣服１１０が落下しないように、衣服１１０の首開口部１１２よりも幅を大きくしなければならなかった。そのため、衣服用ハンガー１００に衣服１１０を掛ける際、フレーム１０４が首開口部１１２から衣服１１０中へ入れられると、衣服１１０の首開口部１１２がフレーム１０４により拡開されることがあった。同様に、衣服１１０から衣服用ハンガー１００を取り外す際、フレーム１０４が衣服１１０の首開口部１１２から外へ取り出されると、衣服１１０の首開口部１１２がフレーム１０４により拡開されることがあった。
【考案の開示】
【考案が解決しようとする課題】
【０００４】
上述したように、従来の衣服用ハンガー１００は、衣服１１０を掛けたり外したりするときに、衣服１１０の首開口部１１２が拡開される設計となっていたため、衣服１１０をスムーズに掛けたり外したりすることができない上、必ず両手を使用する必要があり不便であった。さらに、衣服１１０の首開口部１１２は、頻繁に拡開されると緩くなったり変形したりし、衣服１１０の美観に悪影響を与えることがあった。
【０００５】
本考案は、上記に鑑みてなされたものであって、スライドユニットを簡便に移動させて衣服の掛け外しができ、衣服の首開口部が緩くなったり変形したりすることを防ぐことができ、衣服の掛け外しのときにスライドユニットを片手で移動させることができる、伸縮式衣服用ハンガーを提供することを目的とする。
【課題を解決するための手段】
【０００６】
上述した課題を解決し、目的を達成するために、請求項１に記載の伸縮式衣服用ハンガーは、掛杆およびリンク機構を備えた伸縮式衣服用ハンガーであって、前記掛杆は、吊下げユニットと、前記吊下げユニットに上端部が接続された案内棒と、を有し、前記リンク機構は、前記案内棒上に、上下方向へ摺動可能に固定されたスライドユニットと、前記案内棒の左側に配置されたものであって、前記スライドユニットに接続された第１の端部と、前記案内棒の下端に接続された第２の端部と、を有する第１の連結アームと、前記案内棒の右側に配置されたものであって、前記スライドユニットに接続された第１の端部と、前記案内棒の下端に接続された第２の端部と、を有する第２の連結アームと、を備え、前記リンク機構は、前記スライドユニットが前記案内棒に対応した第１の位置にあるときに収納状態となり、前記スライドユニットが前記案内棒に対応した第２の位置にあるときに衣服を吊下げることが可能な展開状態となること、を特徴とする。
【０００７】
また、請求項２に記載の伸縮式衣服用ハンガーは、請求項１に記載の伸縮式衣服用ハンガーにおいて、前記案内棒の所定位置に、前記スライドユニットを固定させることが可能な固定ユニットをさらに備えること、を特徴とする。
【０００８】
また、請求項３に記載の伸縮式衣服用ハンガーは、請求項２に記載の伸縮式衣服用ハンガーにおいて、前記所定位置は第１の位置であること、を特徴とする。
【０００９】
また、請求項４に記載の伸縮式衣服用ハンガーは、請求項２に記載の伸縮式衣服用ハンガーにおいて、前記所定位置は第２の位置であること、を特徴とする。
【００１０】
また、請求項５に記載の伸縮式衣服用ハンガーは、請求項１に記載の伸縮式衣服用ハンガーにおいて、前記展開状態のときに、前記リンク機構の幅を増大させることが可能な前記リンク機構上に配置されたロッドをさらに備えること、を特徴とする。
【００１１】
また、請求項６に記載の伸縮式衣服用ハンガーは、請求項１に記載の伸縮式衣服用ハンガーにおいて、前記第１の連結アームおよび前記第２の連結アームのそれぞれは、前記スライドユニットに接続された第１の端部と、第２の端部と、を有するサブアッパアームと、前記サブアッパアームの前記第２の端部に接続された第１の端部と、前記案内棒の下端に固定された第２の端部と、を有するサブロアアームと、を備えること、を特徴とする。
【００１２】
また、請求項７に記載の伸縮式衣服用ハンガーは、請求項６に記載の伸縮式衣服用ハンガーにおいて、前記リンク機構は一体成形され、前記スライドユニットと前記サブアッパアームとの間、又は前記アブアッパアームと前記サブロアアームとの間の折曲部が薄いこと、を特徴とする。
【００１３】
また、請求項８に記載の伸縮式衣服用ハンガーは、請求項１に記載の伸縮式衣服用ハンガーにおいて、前記スライドユニットを移動させることが可能なバネをさらに備えること、を特徴とする。
【００１４】
また、請求項９に記載の伸縮式衣服用ハンガーは、請求項１に記載の伸縮式衣服用ハンガーにおいて、前記第１の連結アームおよび前記第２の連結アームは弾性材から形成されていること、を特徴とする。
【００１５】
また、請求項１０に記載の伸縮式衣服用ハンガーは、請求項１に記載の伸縮式衣服用ハンガーにおいて、前記吊下げユニットは鉤状であること、を特徴とする。
【考案の効果】
【００１６】
本考案の伸縮式衣服用ハンガーは、スライドユニットを簡便に移動させて衣服の掛け外しができ、衣服の首開口部が緩くなったり変形したりすることを防ぐことができ、衣服の掛け外しをするときにスライドユニットを片手で移動させることができる。
【考案を実施するための最良の形態】
【００１７】
以下に添付図面を参照して、この考案に係る伸縮式衣服用ハンガーの各実施の形態を詳細に説明する。
【００１８】
（第１実施形態）
図１は、本考案の第１実施形態による伸縮式衣服用ハンガー２００を示す斜視図である。図２は、図１の衣服用ハンガー２００が固定ユニット２３０の位置にあるときの状態を示す拡大断面図である。衣服用ハンガー２００は、掛杆２１０およびリンク機構２２０を含む。掛杆２１０は、吊下げユニット２１２および案内棒２１４を含む。図１に示すように、第１実施形態による吊下げユニット２１２は、物干しロープまたは物干し竿に吊り下げるために用いるフックであるが、吊下げユニット２１２はスリングまたはその他類似した機能を備えたものでもよい。案内棒２１４は、上端部が吊下げユニット２１２に接続されたストレートロッドやその他の形状の棒状物でもよい。リンク機構２２０は、スライドユニット２７０、第１の連結アーム２７２および第２の連結アーム２７４を含む。スライドユニット２７０は、上下方向へ摺動可能に案内棒２１４上へ固定されてもよい。第１の連結アーム２７２および第２の連結アーム２７４は、それぞれ案内棒２１４の左右両側に配置されており、第１の連結アーム２７２および第２の連結アーム２７４のそれぞれは、サブアッパアーム２２２およびサブロアアーム２２４を含む。サブアッパアーム２２２の第１の端部２２２ａ（即ち、第１の連結アーム２７２および第２の連結アーム２７４の第１の端部）は、スライドユニット２７０に接続されている。サブアッパアーム２２２の第２の端部２２２ｂは、サブロアアーム２２４の第１の端部２２４ａに接続されている。サブロアアーム２２４の第２の端部２２４ｂ（即ち、第１の連結アーム２７２および第２の連結アーム２７４の第２の端部）は、案内棒２１４の下端に固定されている。スライドユニット２７０とサブアッパアーム２２２との間、又はサブアッパアーム２２２とサブロアアーム２２４との間は、ヒンジなどの関節機構により接続されてもよい。本考案の第１実施形態では、リンク機構２２０が一体成形され、スライドユニット２７０とサブアッパアーム２２２との間、又はサブアッパアーム２２２とサブロアアーム２２４との間の接続箇所が折り曲げやすいように薄く形成されているため、プラスチック射出成形で生産する際、型開に必要なモールド金型の数を減らすことができる。
【００１９】
また、衣服用ハンガー２００には、案内棒２１４の所定位置にスライドユニット２７０を固定させることが可能な固定ユニット２３０がさらに含まれている。図２に示すように、固定ユニット２３０上にはバンプ２３２が設けられ、案内棒２１４上にはバンプ２３２に対応した凹部２１６がさらに設けられている。固定ユニット２３０のバンプ２３２が、スライドユニット２７０により上下方向に移動され、案内棒２１４上の対応した凹部２１６に係止されると、スライドユニット２７０に力を加えて固定ユニット２３０のバンプ２３２が案内棒２１４の凹部２１６から外されない限り、スライドユニット２７０が案内棒２１４上に固定され、摺動しない状態となる。当然この固定ユニット２３０がスライドユニット２７０を固定させる方式は、摩擦力、磁力、重力など、第１実施形態と異なる方式で行ってもよい。図２の固定ユニット２３０は、単なる一例であり、スライドユニット２７０を案内棒２１４に固定させることができれば、他の方式を採用してもよい。
【００２０】
図３は、図１の衣服用ハンガー２００に衣服２４０を掛ける前の状態を示す斜視図である。図４は、図１の衣服用ハンガー２００に衣服２４０を掛けた後の状態を示す斜視図である。スライドユニット２７０が第１の位置Ａにあるとき、サブアッパアーム２２２とサブロアアーム２２４との間の折曲部は、リンク機構２２０の設計により案内棒２１４に近い位置にあり、リンク機構２２０は、衣服２４０の首開口部２４２よりも幅が小さくなって衣服２４０が掛けられない状態で収納状態となる。スライドユニット２７０が第１の位置Ａから案内棒２１４に沿って下向きに移動すると、サブアッパアーム２２２とサブロアアーム２２４との間の折曲部は、リンク機構２２０の設計により水平方向で徐々に外側に向かって案内棒２１４から離れる。スライドユニット２７０が第２の位置Ｂに移動すると、サブアッパアーム２２２とサブロアアーム２２４との間の折曲部は、案内棒２１４から遠く離れる。これにより、リンク機構２２０の左右の幅が衣服２４０を掛けるのに十分な長さとなり、リンク機構２２０は展開状態となる。本考案の第１実施形態によると、固定ユニット２３０のスライドユニット２７０を第１の位置Ａまたは第２の位置Ｂに固定すると、リンク機構２２０を収納状態または展開状態に維持することができる。
【００２１】
図３および図４に示すように、本考案の第１実施形態による衣服用ハンガー２００は、従来の衣服用ハンガー１００よりも簡便に衣服の掛け外しができる。例えば、衣服２４０を衣服用ハンガー２００に掛けるときは、収納状態のリンク機構２２０が衣服２４０の首開口部２４２へ入れられてから、スライドユニット２７０が下方に引っ張られると、スライドユニット２７０が下方に移動するに伴い、リンク機構２２０の幅が徐々に増大し、リンク機構２２０の幅が衣服２４０の首開口部２４２よりも大きくなる。そのため、衣服２４０をリンク機構２２０に掛けることができるようになる。反対に、衣服２４０を展開状態であるリンク機構２２０から取り外すときは、スライドユニット２７０が上方に引っ張られると、それに伴いリンク機構２２０の幅が縮小し、リンク機構２２０の幅が衣服２４０の首開口部２４２よりも小さくなって衣服２４０が自動的に落下する。このように衣服を掛けたり外したりするときは、首開口部２４２近くにあるスライドユニット２７０を移動させるだけで、衣服の掛け外しを簡便にできる。さらに、本考案の第１実施形態による衣服用ハンガー２００は、衣服の掛け外しのときに、衣服２４０の首開口部２４２を大きく開く必要がないため、衣服２４０の首開口部２４２が緩くなったり変形したりすることがない。
【００２２】
また、衣服用ハンガー２００は、より簡便に使用できるように、スライドユニット２７０を移動させることが可能なスプリングをさらに含んでもよい。図５は、図１の衣服用ハンガー２００に設けられたバネを示す部分拡大図である。図５に示すように、衣服用ハンガー２００は、サブアッパアーム２２２とサブロアアーム２２４との間の折曲部に配置されたトーションバネ２５０のトーション力により、第１の位置Ａ（または第２の位置Ｂ）までスライドユニット２７０を押し動かすことができる。このように、固定ユニット２３０を緩めるだけで、リンク機構２２０を自動的かつ迅速に収納状態（または展開状態）にすることができる。
【００２３】
（第２実施形態）
図６は、本考案の第２実施形態による衣服用ハンガー７００を収納するときの状態を示す斜視図である。図７は、図６の衣服用ハンガー７００を展開したときの状態を示す斜視図である。衣服用ハンガー７００は、掛杆７１０およびリンク機構７２０を含む。掛杆７１０は、吊下げユニット７１２および案内棒７１４を含むが、図１の掛杆２１０と類似しているため、ここでは詳しく述べない。しかし、リンク機構７２０の第１の連結アーム７７２と、第２の連結アーム７７４との間には折曲部が設けられておらず、第１の連結アーム７７２および第２の連結アーム７７４が弾性材から形成されている点において図１の衣服用ハンガー２００と異なる。スライドユニット７７０は、上下方向へ摺動可能に案内棒７１４上の凹部７１６に固定されてもよい。第１の連結アーム７７２および第２の連結アーム７７４は、それぞれ案内棒７１４の左右両側に配置され、第１の連結アーム７７２の第１の端部７７２ａおよび第２の連結アーム７７４の第１の端部７７４ａは、スライドユニット７７０に接続され、第１の連結アームの第２の端部７７２ｂおよび第２の連結アームの第２の端部７７４ｂは、案内棒７１４の下端に固定されている。スライドユニット７７０が外力を受けない場合、スライドユニット７７０は第３の位置Ｃにある。そのため、第１の連結アーム７７２と第２の連結アーム７７４との中間部位は、外側へ大きく伸出されずに、リンク機構７２０が収納状態となる。スライドユニット７７０が外力を受けて下向きに移動すると、第１の連結アーム７７２および第２の連結アーム７７４が徐々に曲げられ、第１の連結アーム７７２および第２の連結アーム７７４の中間部位が大きく外側に伸出される。スライドユニット７７０が第４の位置Ｄに移動して固定ユニット７３０により固定されると、リンク機構７２０の幅が衣服７４０の首開口部７４２よりも広くなるため、衣服７４０を掛けることができるようになり、リンク機構７２０が展開状態となる。また、スライドユニット７７０が固定ユニット７３０により第４の位置Ｄに固定されなくなると、第１の連結アーム７７２および第２の連結アーム７７４は、自らが有する弾性によりスライドユニット７７０が第３の位置Ｃまで自動的に戻ることで、リンク機構７２０を収納状態まで自動的に回復させる。これにより、衣服用ハンガー７００上の衣服７４０が自動的に落下する。
【００２４】
図８は、図１の衣服用ハンガー２００にロッド２６０が設けられたときの状態を示す斜視図である。図９は、図６の衣服用ハンガー７００にロッド７６０が設けられたときの状態を示す斜視図である。図８および図９に示すように、衣服用ハンガー２００，７００は、展開状態であるときに第１の連結アーム２７２，７７２および第２の連結アーム２７４，７７４から突出させてリンク機構２２０，７２０の幅を増大させることが可能なリンク機構２２０，７２０上に設けられたロッド２６０，７６０をさらに含んでもよい。ロッド２６０，７６０は、第１の連結アーム２７２，７７２および第２の連結アーム２７４，７７４に必要な長さを相対的に低減させることができるため、衣服用ハンガー２００，７００が占有する空間を低減させることができる。
【００２５】
上述したことから分かるように、本考案の衣服用ハンガーは、スライドユニットを簡便に移動させることで、衣服の掛け外しができる。そのため、従来技術のように、衣服の首開口部が緩くなったり変形したりすることがない。さらに、本考案の衣服用ハンガーは、衣服の掛け外しのときに、スライドユニットを片手で移動させることができるため利便性が高い。
【００２６】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２７】
【図１】本考案の第１実施形態による伸縮式衣服用ハンガーを示す斜視図である。
【図２】図１の衣服用ハンガーが固定ユニットの位置にあるときの状態を示す拡大断面図である。
【図３】図１の衣服用ハンガーに衣服を掛ける前の状態を示す斜視図である。
【図４】図１の衣服用ハンガーに衣服を掛けた後の状態を示す斜視図である。
【図５】図１の衣服用ハンガーに設けられたバネを示す部分拡大図である。
【図６】本考案の第２実施形態による伸縮式衣服用ハンガーの収納状態を示す斜視図である。
【図７】図６の衣服用ハンガーの展開状態を示す斜視図である。
【図８】図１の衣服用ハンガーにロッドが設けられたときの状態を示す斜視図である。
【図９】図６の衣服用ハンガーにロッドが設けられたときの状態を示す斜視図である。
【図１０】従来の衣服用ハンガーに衣服を吊り下げたときの状態を示す斜視図である。
【符号の説明】
【００２８】
１００、２００、７００  衣服用ハンガー
１０２  フック
１０４  フレーム
１１０、２４０、７４０  衣服
１１２、２４２、７４２  首開口部
２１０、７１０  掛杆
２１２、７１２  吊下げユニット
２１４、７１４  案内棒
２１６、７１６  凹部
２２０、７２０  リンク機構
２２２  サブアッパアーム
２２２ａ  サブアッパアームの第１の端部
２２２ｂ  サブアッパアームの第２の端部
２２４  サブロアアーム
２２４ａ  サブロアアームの第１の端部
２２４ｂ  サブロアアームの第２の端部
２３０、７３０  固定ユニット
２３２  バンプ
２５０  トーションバネ
２６０、７６０  ロッド
２７０、７７０  スライドユニット
２７２、７７２  第１の連結アーム
２７４、７７４  第２の連結アーム
７７２ａ  第１の連結アームの第１の端部
７７２ｂ  第１の連結アームの第２の端部
７７４ａ  第２の連結アームの第１の端部
７７４ｂ  第２の連結アームの第２の端部
【図１】
0003145493.tif 000003
【図２】
0003145493.tif 000004
【図３】
0003145493.tif 000005
【図４】
0003145493.tif 000006
【図５】
0003145493.tif 000007
【図６】
0003145493.tif 000008
【図７】
0003145493.tif 000009
【図８】
0003145493.tif 000010
【図９】
0003145493.tif 000011
【図１０】
0003145493.tif 000012